(57)【要約】【課題】携帯端末のディスプレイに広告用のアイコンを表示させる場合において、可能な限り小さくアイコンを表示させるようにするとともに、そのアイコンの内容をユーザーに簡単に知らせることのできるようにしたアイコンの表示方法を提供する。【解決手段】携帯端末２のディスプレイ２４に、インターネットに接続されることで表示されるホームページや各種情報を表示させる場合、ディスプレイに表示されたアイコン２４１の内容を流しながら表示させる。このとき、ディスプレイ２４に複数のアイコン２４１を表示させるとともに、複数のアイコン２４１の内容を単一の内容表示領域２４２に連続して表示させ、また、単一の内容表示領域２４２に表示されている内容に対応したアイコン２４１の表示形態を変更させるようにする。【選択図】図３
2008276584.tif 000002
【特許請求の範囲】
【請求項１】
携帯端末のディスプレイに、インターネットに接続されることでホームページや各種情報を表示させるためのアイコンを表示させるアイコンの表示方法において、
ディスプレイに表示されたアイコンの内容を流しながら表示させるようにした携帯端末におけるアイコンの表示方法。
【請求項２】
携帯端末のディスプレイに、インターネットに接続されることでホームページや各種情報を表示させるためのアイコンを表示させるアイコンの表示方法において、
ディスプレイに複数のアイコンを表示させるとともに、当該複数のアイコンの内容を単一の内容表示領域に流しながら表示させるようにしたことを特徴とする携帯端末におけるアイコンの表示方法。
【請求項３】
請求項２に記載のアイコンの表示方法において、流しながら表示されている内容に対応したアイコンの表示形態を変更するようにしたアイコンの表示方法。
【請求項４】
携帯端末のディスプレイに、インターネットに接続されることでホームページや各種情報を表示させるためのアイコンを表示させるアイコンの表示方法において、
ディスプレイに複数のアイコンを表示させるステップと、
当該表示された複数のアイコンのうち、いずれか一つのアイコンの選択を受け付けるステップと、
当該受け付けたアイコンについて、当該アイコンの内容を流しながら表示させるステップとを備えたことを特徴とする携帯端末におけるアイコンの表示方法。
【請求項５】
請求項２または請求項４に記載のアイコンの表示方法において、
複数のアイコンを押下させるためのボタンに対応した画面上に内容表示領域を設け、当該内容表示領域に前記アイコンの内容を流しながら表示させるようにしたアイコンの表示方法。
【発明の詳細な説明】
【技術分野】
【０００１】
本発明は、携帯端末のディスプレイにアイコンを表示させるアイコンの表示方法に関するものであり、より具体的には、アイコンが押下されることによってネットワーク上に存在するホームページや各種情報を表示させるようにしたアイコンの表示方法に関するものである。
【背景技術】
【０００２】
一般に、ブラウザ機能を搭載した携帯電話でホームページや各種情報（例えば、電車の時刻表、天気、交通情報、株価情報）などを閲覧する場合、ユーザーは、所定のファンクションキーを押下し、ディスプレイの待受画面にメニュー画面を表示させる。そして、そのメニュー画面上に表示されている検索サイトやカテゴリーに分類された選択項目の一覧を表示させ、ネットワーク上に存在するホームページや各種情報を表示させるようにしている。
【０００３】
しかしながら、このように何回ものボタンの操作によってホームページや各種情報を表示させると、その操作のための時間やインターネットに接続して画面を切り替えるために多くの時間がかかり、実際にはよほどの目的意識がない限り、そのホームページや各種情報を表示させようとしない。そこで、下記の特許文献１には、気軽にホームページなどにアクセスできるようにした方法が各種提案されるようになってきている。
【０００４】
この特許文献１に記載されるシステムは、携帯電話の待受画面に企業の広告アイコンを表示させるようにしたものであって、携帯電話の電源のＯＮ／ＯＦＦの切り替えを検知し、この切り替えによって待受画面に表示されていた広告アイコンを別の広告アイコンに変更させるようにしたものである。このようにすれば、待受画面に多くの広告アイコンを表示させることで、容易にホームページにアクセスさせることができ、また、広告主としても気軽に自社のホームページにアクセスしてもらうことで宣伝広告効果を上げることができるというメリットがある。
【特許文献１】特開２００５−３００８０６号公報
【発明の開示】
【発明が解決しようとする課題】
【０００５】
しかしながら、上記のように携帯電話のディスプレイにアイコンを表示させる場合、携帯電話のディスプレイが小型で低解像度であるため、あまり大きなアイコンを多数表示させることができない。また、ユーザーが待受画面にお気に入りの写真画像を表示させている場合は、その画像を邪魔しないような条件でアイコンを表示させなければ、逆に企業のイメージを低下させてしまう可能性もある。一方、アイコンをあまりに小さくすると、そのアイコンが何のアイコンであるのかを認識することができず、そのアイコンにアクセスされなくなってしまう可能性もある。
【０００６】
そこで、本発明は上記課題に着目してなされたもので、携帯端末のディスプレイに広告用のアイコンを表示させる場合において、可能な限り小さくアイコンを表示させるとともに、そのアイコンの内容をユーザーに簡単に知らせることのできるようにしたアイコンの表示方法を提供することを目的とする。
【課題を解決するための手段】
【０００７】
すなわち、本発明は上記課題を解決するために、携帯端末のディスプレイに、インターネットに接続されることで表示されるホームページや各種情報を表示させる場合、ディスプレイに表示されたアイコンの内容を知らせるためのテキストを流しながら表示させるようにしたものである。
【０００８】
このようにすれば、アイコンを小さくした場合であっても、その内容を内容表示領域に流しながら表示させることができるため、ディスプレイの内容表示領域を大きく占拠することなくアイコンの内容をユーザーに知らせることができるようになる。また、その内容をユーザーに知らせることによって、アイコンが押下される機会を増やし、企業における宣伝広告の効果を高めることができるようになる。
【０００９】
また、このような発明の一態様として、ディスプレイに複数のアイコンを表示させるとともに、当該複数のアイコンの内容を単一の内容表示領域に連続して表示させる。
【００１０】
このようにすれば、複数のアイコンを設けた場合であっても、単一の内容表示領域にアイコンの内容を流しながら表示させるので、画面の内容表示領域を大きく占拠することなく多くのアイコンの内容を説明することができる。
【００１１】
さらには、このように複数のアイコンをディスプレイに表示させる場合、単一の内容表示領域に表示されている内容に対応したアイコンの表示形態を変更させるようにする。
【００１２】
このようにすれば、現在表示されている内容がどのアイコンに対応する内容であるのかをユーザーに知らせることができ、内容表示領域における説明とアイコンとの対応関係を明確にさせることができるようになる。
【００１３】
さらに、別の態様として、ディスプレイに表示された複数のアイコンのうち、いずれか一つのアイコンの選択を受け付けることによって、そのアイコンの内容を内容表示領域に流しながら表示させるようにする。
【００１４】
このようにすれば、アイコンの選択を受け付けた場合にのみ内容を表示させるので、画面の内容表示領域を常に占拠することなく、必要な場合にのみその内容を表示させることができる。
【００１５】
そして、また別の態様としては、ディスプレイに表示された複数のアイコンを選択するためのボタンに対応した画面上に、前記アイコンの内容を表示させるようにする。
【００１６】
このようにすれば、例えば、各アイコンに対応したキーが画面上に割り当てられている場合には、そのキーに対応する画面に流しながら表示させることができるので、対応キーの内容表示領域とテキストの内容表示領域を兼用して、画面を効率的に使用することができるようになる。
【発明の効果】
【００１７】
本発明によれば、携帯端末のディスプレイに表示されたアイコンの内容を流しながら表示させるようにしたので、ディスプレイの内容表示領域を大きく占拠することなくアイコンの内容をユーザーに知らせることができるようになる。また、その内容をユーザーに簡易的に知らせることによって、アイコンが押下される機会を増やすことができ、ホームページを表示させることで企業における宣伝広告の効果を高めることができるようになる。
【発明を実施するための最良の形態】
【００１８】
以下、本発明の一実施の形態について図面を参照して説明する。図１は、この実施の形態におけるアイコン表示システム１の全体図を示したものであり、図２は、そのアイコン表示システム１で使用される携帯電話などの携帯端末２の機能ブロック図を示したものである。
【００１９】
この実施の形態におけるアイコン表示システム１は、サーバーコンピューター３と、このサーバーコンピューター３から送信されてきたアイコン２４１をディスプレイ２４に表示させる携帯端末２とを備えてなり、アイコン２４１が押下されることにより、企業のホームページや各種情報（例えば、株価情報、為替情報、気象情報など）をディスプレイ２４に表示させるようにしたものである。そして、特徴的には、この携帯端末２のディスプレイ２４に、アイコン２４１を表示させるとともに、そのアイコン２４１が押下されることによって表示されるべきホームページや各種情報の内容を流しながら表示させるようにしたものである。なお、この実施の形態において「携帯端末」とは、持ち運びが可能な小型の携帯端末２を意味し、例えば、携帯電話やＰＨＳ、ＰＤＡ、もしくは、非常に小型化されたパーソナルコンピューターなどを意味する。以下、本実施の形態におけるアイコン表示システム１の内容について詳細に説明する。
【００２０】
この携帯端末２は、図２に示すように、内部にＣＰＵ２０や通信部２１、記憶部２２などを備え、また、ユーザーインターフェースとして、入力部２３やディスプレイ２４などのハードウェアを備えている。また、これらのハードウェアと記憶部２２に格納されたプログラムを用いて、インターネットに接続してホームページを表示させるブラウザ機能や、メールを送受信する機能などを備えるようにしている。このうち、通信部２１は、図示しないアンテナ部を介して第三者と通話する機能の他、インターネットに接続してサーバーコンピューター３とデーターを送受信する機能を備える。また、入力部２３は、テンキーや各種ファンクションキー２３０（図４参照）、リング状の矢印キー、リング中心部に設けられた決定キーなどによって構成されるもので、ユーザーから操作を受け付ける。また、ディスプレイ２４は、ホームページや各種情報、電子メールなどを表示できるようにしたもので、比較的小型の液晶ディスプレイなどによって構成される。また、記憶部２２は、装置内部に設けられるＥＰ−ＲＯＭやＥＥＰ−ＲＯＭなどによって構成される。
【００２１】
そして、このような携帯端末２において、本実施の形態では、比較的小さなディスプレイ２４にアイコン２４１を効率よく表示できるようにするために、次のような機能を備えるようにしている。なお、以下に説明する各機能は、上記ＣＰＵ２０や各ハードウェアと記憶部２２に格納されたプログラムなどを協働させることによって実現される。
【００２２】
まず、表示情報格納手段２５は、サーバーコンピューター３から送信されてきたアイコン２４１と、そのアイコン２４１の内容を簡単に示す情報などのアイコン関連情報を記憶部２２に格納する。これに対応して、サーバーコンピューター３には、広告主から提供を受けたアイコン２４１の画像や、そのアイコン２４１が押下された場合に携帯端末２に表示させるホームページなどの内容を記憶している。例えば、自動車メーカーが提供する広告に対しては、アイコン２４１として自動車の画像などが格納され、また、そのアイコン２４１の内容としては、そのメーカー名や、ホームページに掲載される新たな情報（新車情報など）などが格納される。また、このような自動車以外の広告情報としては、例えば、気象情報を表示させる場合は、天気のアイコン２４１画像を格納するとともに、最新の天気情報などがそのアイコン２４１に対するテキストとして格納される。このアイコン２４１画像やテキストの格納作業はサーバーコンピューター３の管理者などによって行われ、あるいは、広告主から直接そのアイコン関連情報を受け付けてそのまま記憶部２２に格納する。ところで、アイコン２４１を受け付ける場合、携帯端末２のディスプレイ２４は非常に小型であるため、アイコン２４１のための内容表示領域２４２を大きく確保することができない。このため、可能な限りアイコン２４１を小さくしておくことが好ましい。一方、あまりにアイコン２４１を小さくしすぎると、そのアイコン２４１の画像からホームページの内容を簡単に推測することができなくなる。このため、アイコン２４１を小さくする代わりとして比較的長いテキストを連続的に流しながら表示させるようにしている。このアイコン２４１やその内容などのアイコン関連情報は、一定時間おきにサーバーコンピューター３から送信される。
【００２３】
アイコン表示手段２６は、このように記憶部２２に格納されたアイコン２４１をディスプレイ２４に表示させる。このアイコン２４１を表示させる場合、例えば、携帯端末２の待受画面に表示させるようにしてもよく、あるいは、電子メールの受信画面上に表示させるようにしてもよい。アイコン２４１を表示させる場合としては、図３に示すように、あらかじめアイコン２４１の内容表示領域２４２を割り当てておき、そのアイコン２４１の内容表示領域２４２に小さなアイコン２４１を一又は複数個表示する。複数のアイコン２４１が表示される場合は、一定時間おきにその表示されているアイコン２４１を別のアイコン２４１に切り替えて表示させる。他のアイコン２４１に切り替える際は、記憶部２２からランダムにアイコン２４１を抽出して表示させるようにしてもよく、あるいは、アイコン２４１をあらかじめカテゴリー分けしておき、そのカテゴリー分けされた種類の中から一又は複数のアイコン２４１を抽出して表示する。ここで「カテゴリー」とは、自動車、食品、ファッション、旅行などのような業種などを意味し、例えば、ユーザーの嗜好を入力する機能を持たせる場合は、その入力された嗜好に応じたカテゴリーの中からアイコン２４１を抽出して表示させる。また、その携帯端末２のユーザーが第三者に電子メールを送信する場合は、その電子メールにアイコン２４１を添付して送信することもできる。この場合、例えば、メール本文の内容を解析し、アイコン２４１のテキストと合致する文言が含まれている場合は、その関連するアイコン２４１を電子メールに添付する方法を用いることができる。
【００２４】
内容表示手段２７は、ディスプレイ２４に表示されているアイコン２４１の内容を抽出し、その内容を表示させるための内容表示領域２４２に順次そのアイコン２４１の内容を流しながら表示させる。この内容表示領域２４２に内容を表示させる方法に関しては次に示す方法を用いることができる。
【００２５】
まず、第一の方法は、図３に示すように、大きな内容表示領域２４２を一つ確保する。図３において、ディスプレイ２４の最も下欄の細長い領域を内容表示領域２４２とし、この内容表示領域２４２にアイコン２４１の内容を順次流しながら表示する。ここで、複数のアイコン２４１をディスプレイ２４に表示させている場合は、現在、内容表示領域２４２に流されている内容に対応したアイコン２４１の表示形態を変更させて表示する。このアイコン２４１の表示形態を変更させる方法としては、例えば、アイコン２４１を大きくして表示する方法の他、そのアイコン２４１の周囲を取り囲むような枠線を表示させるような方法や、あるいは、そのアイコン２４１を点滅表示させる方法などを用いることができる。
【００２６】
また、内容表示領域２４２を確保する場合、アイコン２４１を選択するためのキーに割り当てられた画面領域をそのアイコン２４１の内容を説明するための内容表示領域２４２とする。例えば、図４に示すように、ディスプレイ２４の下欄の左側１／３の領域にアイコン２４１が表示されている場合は、そのアイコン２４１に左側ファンクションキー２３０を割り当てておき、その左側ファンクションキー２３０に対応してディスプレイ２４の左下１／３の領域に内容表示領域２４２を確保する。また、同様に、ディスプレイ２４の中央１／３の領域や右側１／３の領域にアイコン２４１が表示されている場合は、それぞれ、そのアイコン２４１に中央ファンクションキー２３０や右側ファンクションキー２３０を割り当てておき、それぞれの領域にアイコン２４１の内容を説明するための内容表示領域２４２を割り当てるようにする。
【００２７】
第二に、複数のアイコン２４１に対して単一の内容表示領域２４２をけている場合は、各アイコン２４１の内容を順次表示させていくのではなく、ユーザーが選択したアイコン２４１に対応する内容のみを表示させるようにしてもよい。この場合、ユーザーがアイコン２４１を選択し、決定ボタン（例えば、中央ファンクションキー２３０など）を押下する前に、そのアイコン２４１の内容を内容表示領域２４２に表示させる。
【００２８】
選択受付手段２８は、このようにディスプレイ２４に表示しているアイコン２４１の選択やその押下を受け付ける。この選択や押下を受け付ける場合、入力部２３に設けられたリング状の矢印キーによって所望のアイコン２４１の選択を受け付け、また、リングの中央部に設けられた決定キーによってそのアイコン２４１の決定を受け付ける。また、図４に示すように、各アイコン２４１に対してファンクションキー２３０が割り当てられている場合は、そのファンクションキー２３０による選択と押下を同時に受け付ける。
【００２９】
情報表示手段２９は、このように押下されたアイコン２４１に対して、そのアイコン２４１と関連付けられていたＵＲＬを読み出し、インターネットに接続してディスプレイ２４上にホームページや各種情報を表示させる。
【００３０】
次に、このように構成されたアイコン表示システム１における携帯端末２の動作について、図５のフローチャートを参照して説明する。
【００３１】
まず、前提として携帯端末２にはアイコン２４１やその内容に関する情報が何も格納されておらず、また、アイコン２４１などもディスプレイ２４に表示されていないものとする。
【００３２】
この状態で携帯端末２の電源が入れられると、サーバーコンピューター３と通信を行い、サーバーコンピューター３に格納されていたアイコン２４１やそのアイコン２４１の内容やＵＲＬなどのアイコン関連情報を収集し、これを記憶部２２に格納する（ステップＳ１）。これにより、携帯端末２の記憶部２２には、アイコン２４１の画像情報、アイコン２４１の内容を示すテキスト、アイコン２４１に対応したＵＲＬ情報などが格納される。
【００３３】
そして、このようにアイコン２４１などに関する情報が記憶部２２に格納されると、その記憶部２２からランダムに一又は複数のアイコン２４１を抽出し（ステップＳ２）、その読み出されたアイコン２４１をディスプレイ２４のアイコン表示領域２４０に表示する（ステップＳ３）。そして、このアイコン２４１の表示とともに、記憶部２２からそのアイコン２４１の内容を抽出し、ディスプレイ２４の内容表示領域２４２に順次内容を流しながら表示させる（ステップＳ４）。このとき、各アイコン２４１に対応した箇所に内容表示領域２４２が設けられる場合は、各内容表示領域２４２に、それぞれ対応するアイコン２４１の内容を流しながら表示する。そして、そのアイコン２４１や内容を表示し、一定時間経過後、新たに記憶部２２から一又は複数のアイコン２４１とその内容を抽出して、同様に、ディスプレイ２４に表示させる（ステップＳ５）。
【００３４】
そして、このようにアイコン２４１やその内容が表示された後、ユーザーがアイコン２４１の選択や押下を行うと（ステップＳ６）、携帯端末２はその押下を受け付け、ブラウザを起動させるとともに、通信部２１を介してインターネット上におけるホームページや各種情報を収集する。そして、その収集した情報をディスプレイ２４に表示させる（ステップＳ７）。
【００３５】
次に、他の実施の形態におけるアイコン２４１の表示方法についての図６のフローチャートを用いて説明する。この実施の形態におけるアイコン２４１の表示方法は、単一の内容表示領域２４２に複数のアイコン２４１の内容を流しながら表示させるようにしたものである。
【００３６】
まず、同様に、前提として、携帯端末２にはアイコン２４１やその内容に関する情報が何も格納されておらず、また、アイコン２４１などもディスプレイ２４に表示されていないものとする。
【００３７】
この状態で携帯端末２の電源が入れられると、サーバーコンピューター３と通信を行い、サーバーコンピューター３に格納されていたアイコン２４１やそのアイコン２４１の内容やＵＲＬなどのアイコン関連情報を収集し、これを記憶部２２に格納する（ステップＳ１１）。これにより、携帯端末２の記憶部２２には、アイコン２４１の画像情報、アイコン２４１の内容を示すテキスト、アイコン２４１が押下された場合にアクセスするためのＵＲＬ情報などが格納される。
【００３８】
そして、このようにアイコン２４１などに関する情報が記憶部２２に格納されると、その記憶部２２から複数のアイコン２４１を抽出し（ステップＳ１２）、その抽出されたアイコン２４１をディスプレイ２４のアイコン表示領域２４０に表示する（ステップＳ１３）。そして、このアイコン２４１の表示とともに、記憶部２２からそのアイコン２４１の内容を抽出し、ディスプレイ２４に設けられた単一の内容表示領域２４２に順次内容を流しながら表示させる（ステップＳ１４）。このとき、読み出された内容についてのアイコン２４１の種類を検出し（ステップＳ１５）、その検出されたアイコン２４１の表示形態を変更して表示させる（ステップＳ１６）。
【００３９】
そして、このようにアイコン２４１やその内容が表示された後、ユーザーがアイコン２４１の選択や押下すると（ステップＳ１７）、携帯端末２はその押下を受け付け、ブラウザを起動させるとともに、通信部２１を介してインターネット上におけるホームページや各種情報を収集する。そして、その収集した情報をディスプレイ２４に表示させる（ステップＳ１８）。
【００４０】
次に、第三の実施の形態におけるアイコン２４１の表示方法についての図７のフローチャートを用いて説明する。この実施の形態におけるアイコン２４１の表示方法は、単一の内容表示領域２４２に複数のアイコン２４１の内容を流しながら表示させるようにしたものである。
【００４１】
上記場合と同様に、携帯端末２にはアイコン２４１やその内容に関する情報が何も格納されておらず、また、アイコン２４１などもディスプレイ２４に表示されていない状況で携帯端末２の電源が入れられると、一定時間後にサーバーコンピューター３と通信を行い、サーバーコンピューター３に格納されていたアイコン２４１やそのアイコン２４１の内容やＵＲＬなどのアイコン関連情報を収集し、これを記憶部２２に格納する（ステップＳ２１）。これにより、携帯端末２の記憶部２２には、アイコン２４１の画像情報、アイコン２４１の内容を示すテキスト、アイコン２４１が押下された場合にアクセスするためのＵＲＬ情報などが格納される。
【００４２】
そして、このようにアイコン２４１などに関する情報が記憶部２２に格納されると、その記憶部２２から複数のアイコン２４１を抽出し（ステップＳ２２）、その抽出されたアイコン２４１をディスプレイ２４のアイコン表示領域２４０に表示する（ステップＳ２３）。そして、その表示されているアイコン２４１がユーザーによって選択されると（ステップＳ２４）、内容表示領域２４２を生成し（ステップＳ２５）、その内容表示領域２４２に選択されたアイコン２４１の内容を流しながら表示させる（ステップＳ２６）。
【００４３】
そして、このようにアイコン２４１やその内容が表示された後、ユーザーがアイコン２４１を押下するとと（ステップＳ２７）、携帯端末２はその押下を受け付け、ブラウザを起動させるとともに、通信部２１を介してインターネット上におけるホームページや各種情報を収集する。そして、その収集した情報をディスプレイ２４に表示させる（ステップＳ２８）。
【００４４】
このように上記実施の形態によれば、インターネットに接続されることでホームページを表示させるためのアイコン２４１と、そのアイコン２４１の内容を流しながら表示させるようにしたので、小さいアイコン２４１を表示した場合であっても、その内容を小さな内容表示領域２４２に流しながら表示させることができるため、ディスプレイ２４の内容表示領域２４２を大きく占拠することなくアイコン２４１の内容をユーザーに知らせることができるようになる。また、その内容をユーザーに知らせることによって、アイコン２４１が押下される機会を増やすことができ、企業における宣伝広告の効果を高めることができるようになる。
【００４５】
また、ディスプレイ２４に複数のアイコン２４１を表示させるとともに、複数のアイコン２４１の内容を知らせるためのテキストを単一の内容表示領域２４２に連続して表示させるようにしたので、画面の内容表示領域２４２を大きく占拠することなく多くのアイコン２４１の内容を説明することができる。
【００４６】
また、このとき複数のアイコン２４１をディスプレイ２４に表示させる場合、単一の内容表示領域２４２に表示されている内容に対応するアイコン２４１の表示形態を変更させるようにしたので、現在表示されている内容がどのアイコン２４１に対応する内容であるかを知らせることができ、内容表示領域２４２における説明とアイコン２４１との対応関係を明確にさせることができるようになる。
【００４７】
さらには、ディスプレイ２４に表示された複数のアイコン２４１のうち、いずれか一つのアイコン２４１の選択を受け付けることによって、そのアイコン２４１の内容を内容表示領域２４２に流しながら表示させるようにしたので、画面の内容表示領域２４２を常に占拠することなく、必要な場合にのみその内容を表示させることができるようになる。
【００４８】
また、ディスプレイ２４に表示された複数のアイコン２４１を選択するためのボタンに対応した画面上に、前記アイコン２４１の内容を表示させるようにしたので、各アイコン２４１に対したキーが画面上に割り当てられている場合には、そのキーに対応する画面に流しながら表示させることができるので、対応キーの内容表示領域２４２とテキストの内容表示領域２４２を兼用して、画面を効率的に使用することができるようになる。
【００４９】
なお、本発明は上記実施の形態に限定されることなく種々の態様で実施することができる。
【００５０】
例えば、上記実施の形態では、アイコン２４１と離れた場所に内容表示領域２４２に設けるようにしたが、これをすぐ近くに設けて内容を表示させるようにしてもよい。
【００５１】
また、上記実施の形態では、サーバーコンピューター３から送信されてきたアイコン２４１などを表示させるようにしたが、この際、ユーザーが希望のカテゴリーの広告情報などを入力し、そのカテゴリーに含まれるアイコン２４１を表示させるようにしてもよい。また、この際、ディスプレイ２４に表示されたアイコン２４１を別のアイコン２４１に変更する場合は、ユーザーによる操作によって他のアイコン２４１に変更させるようにしてもよい。
【図面の簡単な説明】
【００５２】
【図１】本発明の一実施の形態におけるアイコン表示システムの概要を示す図
【図２】同形態における携帯端末の機能ブロックを示す図
【図３】同形態における携帯端末の第一の表示例を示す図
【図４】同形態における携帯端末の第二の表示例を示す図
【図５】同形態における第一の実施の形態におけるフローチャートを示す図
【図６】同形態における第二の実施の形態におけるフローチャートを示す図
【図７】同形態における第三の実施の形態におけるフローチャートを示す図
【符号の説明】
【００５３】
１・・・アイコン表示システム
２・・・携帯端末
３・・・サーバーコンピューター
２０・・・ＣＰＵ
２１・・・通信部
２２・・・記憶部
２３・・・入力部
２４・・・ディスプレイ
２５・・・表示情報格納手段
２６・・・アイコン表示手段
２７・・・内容表示手段
２８・・・選択受付手段
２９・・・情報表示手段
２３０・・・ファンクションキー
２４０・・・アイコン表示領域
２４１・・・アイコン
２４２・・・内容表示領域
【図１】
2008276584.tif 000003
【図２】
2008276584.tif 000004
【図３】
2008276584.tif 000005
【図４】
2008276584.tif 000006
【図５】
2008276584.tif 000007
【図６】
2008276584.tif 000008
【図７】
2008276584.tif 000009